(57)【要約】【課題】実際に触れる物体の色や温度を変更することなく、利用者が物体に触れたときに感じる温度感覚を制御する。【解決手段】温度感覚制御装置１は、利用者が物体に触れたときに感じる温度感覚を制御する。色制御部１２は、利用者が物体の実際の温度よりも温かいと感じる傾向を上げたい場合には、暖色系の成分をより多く含むように呈示色を決定する。また、色制御部１２は、利用者が物体の実際の温度よりも温かいと感じる傾向を下げたい場合には、寒色系の成分をより多く含むように呈示色を決定する。色呈示部１４は、物体に接触する利用者の身体部位の表面色を呈示色に変化させる。【選択図】図２
2015099428.tif 000002
【特許請求の範囲】
【請求項１】
利用者が物体に触れたときに感じる温度感覚を制御する温度感覚制御装置であって、
上記利用者が上記物体の実際の温度よりも温かいと感じる傾向を上げたい場合には、暖色系の成分をより多く含むように呈示色を決定し、上記利用者が上記物体の実際の温度よりも温かいと感じる傾向を下げたい場合には、寒色系の成分をより多く含むように呈示色を決定する色制御部と、
上記物体に接触する上記利用者の身体部位の表面色を上記呈示色に変化させる色呈示部と、
を含む温度感覚制御装置。
【請求項２】
請求項１に記載の温度感覚制御装置であって、
上記利用者が上記物体の実際の温度よりも温かいと感じる傾向を上げたい場合に決定する上記呈示色を暖色系呈示色とし、
上記利用者が上記物体の実際の温度よりも温かいと感じる傾向を下げたい場合に決定する上記呈示色を寒色系呈示色とし、
上記色制御部は、上記暖色系呈示色が上記寒色系呈示色よりも赤に近い色相の色である、および／または、上記寒色系呈示色が上記暖色系呈示色よりも青に近い色相の色である
温度感覚制御装置。
【請求項３】
利用者の身体部位の表面に塗布する塗料の色を決定する色決定装置であって、
上記利用者が上記塗料を塗布した身体部位を目視しながら物体に触れたときに、上記利用者が上記物体の実際の温度よりも温かいと感じる傾向を上げたいか、もしくは下げたいかを表す指標を入力する入力部と、
上記指標が、上記利用者が上記物体の実際の温度よりも温かいと感じる傾向を上げたい場合に対応するときには、暖色系の成分をより多く含むように上記塗料の色を決定し、上記指標が、上記利用者が上記物体の実際の温度よりも温かいと感じる傾向を下げたい場合に対応するときには、寒色系の成分をより多く含むように上記塗料の色を決定する色決定部と、
を含む色決定装置。
【請求項４】
請求項３に記載の色決定装置であって、
上記利用者が上記物体の実際の温度よりも温かいと感じる傾向を上げたい場合に決定する色を暖色系塗布色とし、
上記利用者が上記物体の実際の温度よりも温かいと感じる傾向を下げたい場合に決定する色を寒色系塗布色とし、
上記色決定部は、上記暖色系塗布色が上記寒色系塗布色よりも赤に近い色相の色である、および／または、上記寒色系塗布色が上記暖色系塗布色よりも青に近い色相の色である
色決定装置。
【請求項５】
利用者が物体に触れたときに感じる温度感覚を制御する温度感覚制御方法であって、
色制御部が、上記利用者が上記物体の実際の温度よりも温かいと感じる傾向を上げたい場合には、暖色系の成分をより多く含むように呈示色を決定し、上記利用者が上記物体の実際の温度よりも温かいと感じる傾向を下げたい場合には、寒色系の成分をより多く含むように呈示色を決定する色制御ステップと、
色呈示部が、上記物体に接触する上記利用者の身体部位の表面色を上記呈示色に変化させる色呈示ステップと、
を含む温度感覚制御方法。
【請求項６】
請求項５に記載の温度感覚制御方法であって、
上記利用者が上記物体の実際の温度よりも温かいと感じる傾向を上げたい場合に決定する上記呈示色を暖色系呈示色とし、
上記利用者が上記物体の実際の温度よりも温かいと感じる傾向を下げたい場合に決定する上記呈示色を寒色系呈示色とし、
上記色制御ステップは、上記暖色系呈示色が上記寒色系呈示色よりも赤に近い色相の色である、および／または、上記寒色系呈示色が上記暖色系呈示色よりも青に近い色相の色である
温度感覚制御方法。
【請求項７】
利用者の身体部位の表面に塗布する塗料の色を決定する色決定方法であって、
入力部が、上記利用者が上記塗料を塗布した身体部位を目視しながら物体に触れたときに、上記利用者が上記物体の実際の温度よりも温かいと感じる傾向を上げたいか、もしくは下げたいかを表す指標を入力する入力ステップと、
色決定部が、上記指標が、上記利用者が上記物体の実際の温度よりも温かいと感じる傾向を上げたい場合に対応するときには、暖色系の成分をより多く含むように上記塗料の色を決定し、上記指標が、上記利用者が上記物体の実際の温度よりも温かいと感じる傾向を下げたい場合に対応するときには、寒色系の成分をより多く含むように上記塗料の色を決定する色決定ステップと、
を含む色決定方法。
【請求項８】
請求項７に記載の色決定方法であって、
上記利用者が上記物体の実際の温度よりも温かいと感じる傾向を上げたい場合に決定する色を暖色系塗布色とし、
上記利用者が上記物体の実際の温度よりも温かいと感じる傾向を下げたい場合に決定する色を寒色系塗布色とし、
上記色決定ステップは、上記暖色系塗布色が上記寒色系塗布色よりも赤に近い色相の色である、および／または、上記寒色系塗布色が上記暖色系塗布色よりも青に近い色相の色である
色決定方法。
【請求項９】
請求項１もしくは２に記載の温度感覚制御装置または請求項３もしくは４に記載の色決定装置としてコンピュータを制御するためのプログラム。
【発明の詳細な説明】
【技術分野】
【０００１】
この発明は、人が物体に触れたときに感じる温度感覚を制御する技術に関する。
【背景技術】
【０００２】
従来から、色と温度感覚は関連性があることが知られている。人は、赤やオレンジなどの色を見ると温かいと感じ、青や緑などの色を見ると冷たいと感じる。このように、色によって、自身の周囲環境に対する温度感覚に差が生じることが報告されている。非特許文献１と非特許文献２には、物体に触れていない状況で、色がその物体に対する温度感覚に視覚的に影響を与えることが示唆されている。
【先行技術文献】
【非特許文献】
【０００３】
【非特許文献１】Benjamin Wright, “The Influence of Hue, Lightness, and Saturation on Apparent Warmth and Weight”, The American Journal of Psychology, Jun. 1962, Vol. 75, No. 2, pp. 232-241.
【非特許文献２】Paul C. Berry, “Effect of Colored Illumination upon Perceived Temperature”, Journal of Applied Psychology, 1961, Vol. 45, No. 4, pp. 248-250.
【発明の概要】
【発明が解決しようとする課題】
【０００４】
非特許文献１や非特許文献２では、温度感覚を変化させたい対象となる物体全ての色を変化させなければならず、現実的ではない。また、これらの技術は物体に触れていない状況で感じる温度感覚に色が影響を与えるものであり、実際に物体に触れた際に生じる温度感覚にどのような影響を与えるかは知られていない。
【０００５】
この発明の目的は、実際に触れる物体の色や温度を変更することなく、物体に触れた際の温度感覚を制御する技術を提供することである。
【課題を解決するための手段】
【０００６】
上記の課題を解決するために、この発明の一態様による温度感覚制御装置は、利用者が物体に触れたときに感じる温度感覚を制御する。温度感覚制御装置は、色制御部及び色呈示部を含む。色制御部は、利用者が物体の実際の温度よりも温かいと感じる傾向を上げたい場合には、暖色系の成分をより多く含むように呈示色を決定し、利用者が物体の実際の温度よりも温かいと感じる傾向を下げたい場合には、寒色系の成分をより多く含むように呈示色を決定する。色呈示部は、物体に接触する利用者の身体部位の表面色を呈示色に変化させる。
【０００７】
この発明の他の態様による色決定装置は、利用者の身体部位の表面に塗布する塗料の色を決定する。色決定装置は、入力部及び色決定部を含む。入力部は、利用者が塗料を塗布した身体部位を目視しながら物体に触れたときに、利用者が物体の実際の温度よりも温かいと感じる傾向を上げたいか、もしくは下げたいかを表す指標を入力する。色決定部は、指標が、利用者が物体の実際の温度よりも温かいと感じる傾向を上げたい場合に対応するときには、暖色系の成分をより多く含むように塗料の色を決定し、指標が、利用者が物体の実際の温度よりも温かいと感じる傾向を下げたい場合に対応するときには、寒色系の成分をより多く含むように塗料の色を決定する。
【発明の効果】
【０００８】
この発明によれば、実際に触れる物体の色や温度を変更することなく、人が物体に触れたときに感じる温度感覚を制御することができる。
【図面の簡単な説明】
【０００９】
【図１】図１は、実験環境及び実験結果を説明するための図である。
【図２】図２は、温度感覚制御装置の機能構成を例示する図である。
【図３】図３は、温度感覚制御方法の処理フローを例示する図である。
【図４】図４は、色決定装置の機能構成を例示する図である。
【図５】図５は、色決定方法の処理フローを例示する図である。
【発明を実施するための形態】
【００１０】
以下、この発明の実施の形態について詳細に説明する。なお、図面中において同じ機能を有する構成部には同じ番号を付し、重複説明を省略する。
【００１１】
［発明の概要］
実施形態の説明に先立って、この発明の温度感覚制御技術の概要について説明する。
【００１２】
この発明は、物体に触れる人の身体部位の色の見えを変化させることで、人が感じる温度感覚を変化させるものである。この発明では、発明者らが発見した、以下に示す実験結果により導かれる人間の感覚特性を利用して実現される。
【００１３】
図１（Ａ）に実験環境の概略を示す。実験環境として、表面温度を制御可能なディスプレイ９１と、様々な色の光を投影可能なプロジェクタ９２を用意する。
【００１４】
プロジェクタ９２は被験者の手９３に色を投影するものであり、投影する色が被験者の手の部分だけに当たるように制御する。つまり、被験者から見ると、周辺の色は変わらずに自分の手の色だけが変わったように見えるようにする。
【００１５】
この実験では、被験者がディスプレイ９１に触れるときに、ディスプレイ９１の表面温度を変化させ、それ以上の温度で表面温度が「温かい」と感じる温度（lowest warm temperature）を調べた。実験では、以下の三つの状態について、それぞれ被験者が温かいと感じる温度を調べた。
(a)プロジェクタで青色を投影し、被験者の手が青色に見える状態（blue）
(b)被験者が目を閉じた状態（control）
(c)プロジェクタで赤色を投影し、被験者の手が赤色に見える状態（red）
【００１６】
図１（Ｂ）に実験結果を示す。縦線でハッチングした左端の棒グラフは、(a)被験者の手が青色に見える状態において被験者が温かいと感じた温度であり、中央の棒グラフは、(b)被験者が目を閉じた状態において被験者が温かいと感じた温度であり、横線にハッチングした右端の棒グラフは、(c)被験者の手が赤色に見える状態において被験者が温かいと感じた温度である。図１（Ｂ）から、自身の手の色が赤色に見えるときの方が自身の手の色が青色に見えるときよりも温かいと感じる温度が低い、すなわち、より低い温度で温かさを感じる傾向があることがわかる。つまり、この実験結果からは、実際に物体に触れる際に生じる温度感覚にも、色が影響することが明らかになった。一般的な予想とは異なり、物体の色を変える場合は、青い物体は赤い物体より温かく感じる傾向がある。一方、物体に触れる手の色を変える場合は、自身の手の色が赤色に見えるときの方が青色に見えるときよりも温かく感じる。
【００１７】
上述の実験では被験者の手の表面色を変化させるためにプロジェクタを用いたが、被験者に知覚される色の見えが異なればどのような方法を用いてもよい。例えば、実際にインク等の塗料により被験者の手を着色する方法や、着色された布によって被験者の手を覆う方法などを用いることができる。また、手全体の色を変えなくとも、物体に接触する部位を含む近傍の範囲の色の見えが異なれば同様の効果が得られることが期待される。さらに、物体に触れる身体部位は手でなくともよく、足や肘などのように物体と接触することができる身体部位であって目視できる部位であれば同様の効果が得られることが期待される。
【００１８】
この発明では、上述の実験結果から導かれる人間の感覚特性を利用して、人が物体に触れるときに、物体に触れる身体部位の表面色を変化させることで、その人が感じる温度感覚を制御することができるようにする。
【００１９】
［第一実施形態］
図２を参照して、第一実施形態に係る温度感覚制御装置１の機能構成の一例を説明する。温度感覚制御装置１は、入力部１０、色制御部１２及び色呈示部１４を含む。温度感覚制御装置１は、例えば、中央演算処理装置（Central Processing Unit、ＣＰＵ）、主記憶装置（Random Access Memory、ＲＡＭ）等を有する公知又は専用のコンピュータに特別なプログラムが読み込まれて構成された特別な装置である。温度感覚制御装置１は、例えば、中央演算処理装置の制御のもとで各処理を実行する。温度感覚制御装置１に入力されたデータや各処理で得られたデータは、例えば、主記憶装置に格納され、主記憶装置に格納されたデータは必要に応じて読み出されて他の処理に利用される。
【００２０】
色呈示部１４は、利用者の身体部位の表面色の見えを変化させて見せるための構成部である。図２では、色呈示部１４は温度感覚制御装置１の内部に組み込まれるように表したが、温度感覚制御装置１の筐体の外部に別の装置として構成してもよい。例えば、図１の実験環境に例示したような、様々な色を投影可能なプロジェクタなどであってもよい。また、物体に触れる身体部位の表面に設けられた着色層などであってもよい。
【００２１】
色呈示部１４が色を呈示する対象物は、物体に触れる利用者の身体において目視可能な部位であって、物体と接触する部分の反対側（すなわち、利用者から目視可能な側）を含む近傍の部位である。
【００２２】
図３を参照して、第一実施形態に係る温度感覚制御装置１が実行する温度感覚制御方法の処理フローの一例を、実際に行われる手続きの順に従って説明する。
【００２３】
ステップＳ１０において、入力部１０には、利用者が温かいと感じる傾向を上げたいか、もしくは下げたいかを示す指標が入力される。入力された指標は色制御部１２に送られる。なお、入力部１０は必須の構成部ではなく、例えば、利用者が温かいと感じる傾向を上げるのか下げるのかを予め与えられる構成としてもよい。また、利用者が温かいと感じる傾向を上げるのか下げるのかを自律的に決定する構成としてもよい。
【００２４】
ステップＳ１２において、色制御部１２は以下のように色呈示部１４が呈示する色を決定する。以降の説明では、色呈示部１４が呈示する色のことを呈示色と呼ぶ。利用者が物体に触れたときにその物体の実際の温度よりも温かいと感じる傾向を上げたい場合には、物体に接触する利用者の身体部位の表面色が暖色系の成分をより多く含むように呈示色を決定する。利用者が物体に触れたときにその物体の実際の温度よりも温かいと感じる傾向を下げたい場合には、物体に接触する利用者の身体部位の表面色が寒色系の成分をより多く含むように呈示色を決定する。決定された呈示色は色呈示部１４に送られる。
【００２５】
暖色及び寒色について具体的に説明する。暖色及び寒色を色相で表現すると、暖色系の色はそれを見たときに暖かい印象を受ける色であり、典型的な色は赤である。暖色系の色は赤に限らず、例えば、オレンジや黄色であってもよい。寒色系の色はそれを見たときに冷たい印象を受ける色であり、典型的な色は青である。寒色系の色は青に限らず、例えば、緑や紫であってもよい。
【００２６】
入力部１０により指標が入力される場合には、その指標を基準として呈示色を決定すればよい。すなわち、入力された指標が温かいと感じる傾向を上げたいことを表す場合には、暖色系の成分をより多く含むように呈示色を決定し、入力された指標が温かいと感じる傾向を下げたいことを表す場合には、寒色系の成分をより多く含むように呈示色を決定する。
【００２７】
ステップＳ１４において、色呈示部１４は、色制御部１２により決定された呈示色に従って、物体に接触する利用者の身体部位の表面色を変化させる。
［第二実施形態］
この発明の第二実施形態は、人の温度感覚を制御することを目的として、人の身体に塗布するクリームやインクなどの塗料の色を決定する色決定装置である。以降の説明では、色決定装置が決定する塗料の色を塗布色と呼ぶ。
【００２８】
図４を参照して、第二実施形態に係る色決定装置２の機能構成の一例を説明する。色決定装置２は、入力部２０及び色決定部２２を含む。色決定装置２は、例えば、中央演算処理装置（Central Processing Unit、ＣＰＵ）、主記憶装置（Random Access Memory、ＲＡＭ）等を有する公知又は専用のコンピュータに特別なプログラムが読み込まれて構成された特別な装置である。色決定装置２は、例えば、中央演算処理装置の制御のもとで各処理を実行する。色決定装置２に入力されたデータや各処理で得られたデータは、例えば、主記憶装置に格納され、主記憶装置に格納されたデータは必要に応じて読み出されて他の処理に利用される。
【００２９】
図５を参照して、第二実施形態に係る色決定装置２が実行する色決定方法の処理フローの一例を、実際に行われる手続きの順に従って説明する。
【００３０】
ステップＳ２０において、入力部２０には、利用者が温かいと感じる傾向を上げたいか、もしくは下げたいかを示す指標が入力される。入力される指標は「上げる」もしくは「下げる」の二値ではなく、どのくらい温かいと感じる傾向を上げたいか、もしくはどのくらい温かいと感じる傾向を下げたいかを表す量が入力されてもよい。例えば、指標の値域を-1以上1以下の実数とし、指標の値が正の値であれば利用者が温かいと感じる傾向を上げたい場合に対応し、指標の値が負の値であれば利用者が温かいと感じる傾向を下げたい場合に対応するものとする。この場合、指標の絶対値が大きいほど温かいと感じる傾向を上げたい、もしくは下げたい変化量が大きいことに対応するものとする。
【００３１】
ステップＳ２２において、色決定部２２は、入力部２０に入力された指標が温かいと感じる傾向を上げたい場合に対応する場合には、暖色系の成分をより多く含むように塗布色を決定する。また、入力部２０に入力された指標が温かいと感じる傾向を下げたい場合に対応する場合には、寒色系の成分をより多く含むように塗布色を決定する。
【００３２】
入力部２０から、どのくらい温かいと感じる傾向を上げたいか下げたいかを表す量が指標として入力された場合には、その値が大きいほど、すなわち温かいと感じる傾向を上げたい変化量が大きいほど、より多く暖色系の成分を含むように色を決定する。一方、入力部２０から、どのくらい温かいと感じる傾向を下げたいかを表す量が指標として入力された場合には、その値が小さいほど、すなわち温かいと感じる傾向を下げたい変化量が大きいほど、より多く寒色系の成分を含むように色を決定する。
【００３３】
［効果］
この発明による温度感覚制御技術は、利用者が物体に触れる身体部位における目視可能な範囲の表面色を変化させることで、利用者が物体に触れたときに感じる温度感覚を制御する。具体的には、利用者が物体に触れる身体部位の表面色を暖色系の色に変化させることで、より低い温度で温かいと感じさせることができ、利用者が物体に触れる身体部位の表面色を寒色系の色に変化させることで、より高い温度で温かいと感じさせることができる。
【００３４】
この発明は上述の実施形態に限定されるものではなく、この発明の趣旨を逸脱しない範囲で適宜変更が可能であることはいうまでもない。上記実施形態において説明した各種の処理は、記載の順に従って時系列に実行されるのみならず、処理を実行する装置の処理能力あるいは必要に応じて並列的にあるいは個別に実行されてもよい。
【００３５】
［プログラム、記録媒体］
上記実施形態で説明した各装置における各種の処理機能をコンピュータによって実現する場合、各装置が有すべき機能の処理内容はプログラムによって記述される。そして、このプログラムをコンピュータで実行することにより、上記各装置における各種の処理機能がコンピュータ上で実現される。
【００３６】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３７】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３８】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３９】
また、この形態では、コンピュータ上で所定のプログラムを実行させることにより、本装置を構成することとしたが、これらの処理内容の少なくとも一部をハードウェア的に実現することとしてもよい。
【符号の説明】
【００４０】
１  温度感覚制御装置
１０  入力部
１２  色制御部
１４  色呈示部
２  色決定装置
２０  入力部
２２  色決定部
９１  ディスプレイ
９２  プロジェクタ
９３  被験者の手
【図１】
2015099428.tif 000003
【図２】
2015099428.tif 000004
【図３】
2015099428.tif 000005
【図４】
2015099428.tif 000006
【図５】
2015099428.tif 000007